(57)【特許請求の範囲】
【請求項１】
データを記録するための記憶手段と、
複数種類の電子機器と通信可能に接続するための通信手段と、
上記通信手段を介して接続された電子機器から当該電子機器の種類を表す識別情報を取得する識別情報取得手段と、
上記識別情報取得手段により取得された電子機器の種類を表す識別情報に応じた当該電子機器の種類に対応する文字列と、１つの楽曲に対応する文字列とを含むフォルダ名を生成するフォルダ名生成手段と、
上記フォルダ名生成手段により生成されたフォルダ名が付与されたフォルダを上記記憶手段に生成するフォルダ生成手段と、
上記通信手段を介して接続された電子機器から前記楽曲に関連付けられたデータを取得するデータ取得手段と、
上記データ取得手段により取得された前記楽曲に関連付けられたデータを、上記フォルダ生成手段により生成されたフォルダ内に、少なくとも１つのファイルとして書き込むデータ書込み手段と
を具備することを特徴とするデータ記録装置。
【請求項２】
さらに、
前記記憶手段にある複数のフォルダに付与されたフォルダ名をユーザに提示しユーザ操作に応じて何れかのフォルダ名を選択するフォルダ提示選択手段と、
上記フォルダ提示選択手段により選択されたフォルダ名が付与されたフォルダ内に書き込まれている一部或いは全部のファイルのデータを、前記通信手段を介して接続された電子機器に送信するデータ送信手段と
を具備することを特徴とする請求項１に記載のデータ記録装置。
【請求項３】
データを記録するための記憶手段及び複数種類の電子機器と通信可能に接続するための通信手段を具備し、データ記録装置として機能するコンピュータに、
上記通信手段を介して接続された電子機器から当該電子機器の種類を表す識別情報を取得する識別情報取得ステップと、
上記識別情報取得ステップで取得された電子機器の種類を表す識別情報に応じた当該電子機器の種類に対応する文字列と、１つの楽曲に対応する文字列とを含むフォルダ名を生成するフォルダ名生成ステップと、
上記フォルダ名生成ステップで生成されたフォルダ名が付与されたフォルダを上記記憶手段に生成するフォルダ生成ステップと、
上記通信手段を介して接続された電子機器から前記楽曲に関連付けられたデータを取得するデータ取得ステップと、
上記データ取得ステップで取得された前記楽曲に関連付けられたデータを、上記フォルダ生成ステップで生成されたフォルダ内に、少なくとも１つのファイルとして書き込むデータ書込みステップと
から成る手順を実行させるデータ記録プログラム。
【発明の詳細な説明】
【技術分野】
【０００１】
この発明は、電子楽器における演奏データや設定データなど、電子機器における一連のデータを外部の記録機器に記録するデータ記録システムに関する。
【背景技術】
【０００２】
従来より、電子楽器などの電子機器に対して外部の記録機器を別設し、電子機器における一連のデータを記憶しておくシステムがある。例えば、特許文献１の自動演奏データ記憶システムでは、複数の電子楽器（３，４）からレジストレーションデータをデータ記憶装置（１）に記憶しておくことができる。
【０００３】
このように、電子楽器などの電子機器に関する外部記憶装置等として外部の記録機器を用い、電子機器で生成されたデータを記録機器に記憶するデータ記録システムでは、記録機器に記憶されたデータを、このデータを生成した電子機器と別の電子機器で利用しようとしたとき、電子機器間の互換性がなく利用できなかったりする場合があり、このような事態は、機器で利用する操作をして初めて分ることがよくある。
【０００４】
或いは、電子機器によっては、一応互換性があり利用することはできても、全く同一の結果にならないこともある。例えば、電子楽器などの電子音楽機器同士では、設定データや演奏データなどの音楽データに一応の互換性があっても、音の鳴り方が微妙に異なっていたりする。或いは、ＷＥＢカメラなどの電子映像機器で生成された画像から作られた動画ファイルなどについては、電子映像機器間に互換性があっても、微妙に色調や画質が異なっていることがある。これらの現象も、やはり、電子機器側で利用する操作をして初めて分ることがよくある。
【０００５】
さらに、電子楽器などの電子音楽機器には、そのままでは互換性のない設定データや演奏データなどの音楽データを受け取ったときに、自身で再生可能な形式に丸め込むように変換して一応の互換性を保つものがあるが、この場合も、記録時の電子音楽機器と再生時の電子音楽機器とで音の鳴り方が微妙に異なる。
【０００６】
また、外部の記録機器に記録されたデータを、ユーザがその違いを前もって知らずに利用しようとすると、利用することができなかったり、或いは、意図したとおりの結果にならず、機器の故障を疑ったり、或いは、ユーザの演奏技術や撮像技術が現実よりも下手であると誤解されることがある。
【先行技術文献】
【特許文献】
【０００７】
【特許文献１】特開平６−１９５８８３号公報
【発明の概要】
【発明が解決しようとする課題】
【０００８】
この発明は、電子楽器における演奏データや設定データなど、電子機器における一連のデータをデータ記録装置に記録するに当たり、データファイルが収められるフォルダの名称を工夫することにより、このような不都合を解消することができうようにしたデータ記録システムを提供することを目的とする。
【課題を解決するための手段】
【０００９】
この発明の主たる特徴に従うと、データを記録するための記憶手段（ＵＳＢメモリ８Ｍ及びそのスロット８ｒ）と、複数種類の電子機器（電子楽器ＥＭ：ＥＭａ，ＥＭｂ，…）と通信可能に接続するための通信手段〔通信Ｉ／Ｆ（ＭＩＤＩＩ／Ｆ）７ｒ〕と、通信手段（７ｒ）を介して接続された電子機器（ＥＭ）から当該電子機器の種類を表す識別情報（機器ＩＤ；モデルＩＤ）を取得する識別情報取得手段（ＲＡ１〜ＲＡ７：図３）と、識別情報取得手段（ＲＡ１〜ＲＡ７：図３）により取得された電子機器の種類を表す識別情報（機器ＩＤ；モデルＩＤ）に応じた当該電子機器の種類に対応する文字列と、１つの楽曲に対応する文字列とを含むフォルダ名（例えば、“ＡＡ＿ｘｘｘ”）を生成するフォルダ名生成手段（ＲＢ３）と、フォルダ名生成手段（ＲＢ３）により生成されたフォルダ名が付与されたフォルダ（ＦＬ：ＦＬ１，ＦＬ２，…）を記憶手段（８Ｍ）に生成するフォルダ生成手段（ＲＢ５）と、通信手段（７ｒ）を介して接続された電子機器（ＥＭ）から前記楽曲に関連付けられたデータ（レジストレーションデータＲＦ、演奏操作イベントＰＦ）を取得するデータ取得手段（ＲＢ６〜ＲＢ１１）と、データ取得手段（ＲＢ６〜ＲＢ１１）により取得された前記楽曲に関連付けられたデータ（ＲＦ，ＰＦ）を、フォルダ生成手段（ＲＢ５）により生成されたフォルダ（ＦＬ）内に、少なくとも１つのファイルとして書き込むデータ書込み手段（ＲＢ７，ＲＢ１０〜ＲＢ１１）とを具備するデータ記録装置（ＲＤ）〔請求項１〕、並びに、データを記録するための記憶手段（ＵＳＢメモリ８Ｍ及びそのスロット８ｒ）及び複数種類の電子機器（電子楽器ＥＭ：ＥＭａ，ＥＭｂ，…）と通信可能に接続するための通信手段〔通信Ｉ／Ｆ（ＭＩＤＩＩ／Ｆ）７ｒ〕を具備し、データ記録装置として機能するコンピュータ（ＲＤ）に、通信手段（７ｒ）を介して接続された電子機器（ＥＭ）から当該電子機器の種類を表す識別情報（機器ＩＤ；モデルＩＤ）を取得する識別情報取得ステップ（ＲＡ１〜ＲＡ７：図３）と、識別情報取得ステップ（ＲＡ１〜ＲＡ７：図３）で取得された電子機器の種類を表す識別情報（機器ＩＤ；モデルＩＤ）に応じた当該電子機器の種類に対応する文字列と、１つの楽曲に対応する文字列とを含むフォルダ名（例えば、“ＡＡ＿ｘｘｘ”）を生成するフォルダ名生成ステップ（ＲＢ３）と、フォルダ名生成ステップ（ＲＢ３）で生成されたフォルダ名が付与されたフォルダ（ＦＬ：ＦＬ１，ＦＬ２，…）を記憶手段（８Ｍ）に生成するフォルダ生成ステップ（ＲＢ５）と、通信手段（７ｒ）を介して接続された電子機器（ＥＭ）から前記楽曲に関連付けられたデータ（レジストレーションデータＲＦ、演奏操作イベントＰＦ）を取得するデータ取得ステップ（ＲＢ６〜ＲＢ１１）と、データ取得ステップ（ＲＢ６〜ＲＢ１１）で取得された前記楽曲に関連付けられたデータ（ＲＦ，ＰＦ）を、フォルダ生成ステップ（ＲＢ５）で生成されたフォルダ（ＦＬ）内に、少なくとも１つのファイルとして書き込むデータ書込みステップ（ＲＢ７，ＲＢ１０〜ＲＢ１１）とから成る手順を実行させるデータ記録プログラム〔請求項３〕が提供される。なお、括弧書きは、理解の便のために付記した実施例の参照記号や用語等であり、以下においても同様である。
【００１０】
この発明によるデータ記録装置（ＲＤ）は、さらに、記憶手段（８Ｍ）にある複数のフォルダ（ＦＬ：ＦＬ１，ＦＬ２，…）に付与されたフォルダ名をユーザに提示しユーザ操作に応じて何れかのフォルダ名を選択するフォルダ提示選択手段（ＲＣ２〜ＲＣ４）と、フォルダ提示選択手段（ＲＣ２〜ＲＣ４）により選択されたフォルダ名が付与されたフォルダ内に書き込まれている一部或いは全部のファイルのデータを、通信手段（７ｒ）を介して接続された電子機器（ＥＭ：ＥＭａ，ＥＭｂ，…）に送信するデータ送信手段（ＲＣ５）とを具備する〔請求項２〕ように構成することができる。
【発明の効果】
【００１１】
この発明の主たる特徴によるデータ記録システムでは（請求項１，３）、データを記録するための記憶手段（ＵＳＢメモリ８Ｍ及びそのスロット８ｒ）を備えたデータ記録装置（ＲＤ）は、複数種類の電子機器（電子楽器ＥＭ：ＥＭａ，ＥＭｂ，…）と通信可能に接続することができ、まず、通信手段〔通信Ｉ／Ｆ（ＭＩＤＩＩ／Ｆ）７ｒ〕を介して接続された電子機器（ＥＭ）から当該電子機器の種類を表す識別情報（機器ＩＤ；モデルＩＤ）を取得する（ＲＡ１〜ＲＡ７：図３）。次いで、取得した電子機器の種類を表す識別情報（機器ＩＤ；モデルＩＤ）に応じた当該電子機器の種類に対応する文字列と、１つの楽曲に対応する文字列とを含むフォルダ名（例えば、“ＡＡ＿ｘｘｘ”）を生成し（ＲＢ３）、生成したフォルダ名が付与されたフォルダ（ＦＬ：ＦＬ１，ＦＬ２，…）を記憶手段（８Ｍ）に生成する（ＲＢ５）。そして、通信手段（７ｒ）を介して接続された電子機器（ＥＭ）から前記楽曲に関連付けられたデータ（レジストレーションデータＲＦ、演奏操作イベントＰＦ）を取得し（ＲＢ６〜ＲＢ１１）、取得した前記楽曲に関連付けられたデータ（ＲＦ，ＰＦ）を、先に生成したフォルダ（ＦＬ）内に、少なくとも１つのファイルとして書き込む（ＲＢ７，ＲＢ１０〜ＲＢ１１）。
【００１２】
つまり、この発明によるデータ記録システムでは、電子楽器などの電子機器をデータ記録装置に接続し、電子楽器における演奏データや設定データなど、電子機器における一連のデータをファイル単位でフォルダにまとめ、接続された電子機器の種類に応じたフォルダ名でデータ記録装置に記録するようにしている。従って、この発明によれば、ユーザは、ファイルを収めたフォルダ名でファイルを生成した機器の種類が分り、前述した種々の不都合が解決される。
【００１３】
この発明によるデータ記録装置（ＲＤ）では（請求項２）、記憶手段（８Ｍ）にデータが記録されている複数のフォルダ（ＦＬ：ＦＬ１，ＦＬ２，…）に付与されたフォルダ名をユーザに提示して選択させ、ユーザ操作に応じて何れかのフォルダ名が選択されると（ＲＣ２〜ＲＣ４）、選択されたフォルダ名が付与されたフォルダ内に書き込まれている一部或いは全部のファイルのデータを、通信手段（７ｒ）を介して接続された電子機器（ＥＭ：ＥＭａ，ＥＭｂ，…）に送信する（ＲＣ５）ようにしている。従って、この発明によれば、記憶手段に記録されている所望のデータをデータ記録装置で再生し、データ記録装置に接続された電子機器に送ることができる。
【００１４】
〔その他の特徴〕
なお、この発明によるデータ記録システムにおいて、識別情報に応じたフォルダ名は、識別情報（機器ＩＤ；モデルＩＤ）に対応し電子機器（ＥＭ）の種類を表わす文字列が含まれる。また、データを記録するためにデータ記録装置（ＲＤ）に備えられる記憶手段には、着脱可能な可搬性記録媒体であってパーソナルコンピュータ（以下、パソコンという）などで利用できるもの（８Ｍ）が好ましい。
【００１５】
ファイルとして記憶手段（８Ｍ）に記録される一連のデータ（ＲＦ，ＰＦ）には、特に、演奏イベントのようなストリームデータをファイルとして記録するものが含まれる。また、電子機器（ＥＭ）として電子楽器が適用される場合、一連のデータにはソング単位の設定情報（ＲＦ）及び演奏情報（ＰＦ）がある。
【図面の簡単な説明】
【００１６】
【図１】この発明の一実施例によるデータ記録システムの構成例を示す。
【図２】この発明の一実施例による機種文字列テーブル及び記憶媒体内のデータ構造例を示す。
【図３】この発明の一実施例によるモデルＩＤ取得処理のフローチャート例を示す。
【図４】この発明の一実施例による記録処理のフローチャート例の一部を示す。
【図５】この発明の一実施例による記録処理のフローチャート例の他部を示す。
【図６】この発明の一実施例による再生処理のフローチャート例を示す。
【発明を実施するための形態】
【００１７】
〔システム構成及びハードウエア構成の例〕
図１は、この発明の一実施例によるデータ記録システムの構成例を示す。この発明の一実施例によるデータ記録システムは、データ記録装置ＲＤと、データ記録装置ＲＤに接続される任意の機種の電子機器ＥＭ（なお、記号“ＥＭ”は、任意の機種の電子機器或いは電子楽器を一般的に示す）とから成る。データ記録装置ＲＤは、下部ブロック内に示されるハードウエア構成を有し、中央処理装置（ＣＰＵ）１ｒ、タイマ２ｒ，ランダムアクセスメモリ（ＲＡＭ）３ｒ、読出専用メモリ（ＲＯＭ）４ｒ、設定操作検出部５ｒ、表示部６ｒ、通信インターフェース（通信Ｉ／Ｆ）７ｒ、外部記憶スロット８ｒ等の要素を備え、これら要素１ｒ〜８ｒはバス９ｒを介して互いに接続される。
【００１８】
データ記録装置ＲＤ全体を制御するＣＰＵ１ｒは、ＲＡＭ３ｒ及びＲＯＭ４ｒと共に、データ記録処理に関する各種制御プログラムに従って各種処理を実行するデータ処理部を構成し、各種制御プログラムに従い、タイマ２ｒによるクロックを利用して種々の処理を実行する。ＲＡＭ３ｒは、これらの処理に際して必要な各種データを記憶しておいたり一時的に保持するのに用いられる。ＲＯＭ４ｒは、各種制御プログラムや必要な各種制御データが記憶されており、制御データには、例えば、機種文字列テーブル（ＴＢ）がある。
【００１９】
設定操作検出部５ｒは、スイッチ等の設定操作子に対する操作内容を検出し、対応する各種設定情報をデータ処理部に導入することができる。例えば、設定操作検出部５ｒ中のモード設定ボタンの操作により記録モードや再生モードで動作させることができる。表示部６ｒは、各種表示要素やＬＣＤ等のディスプレイ（表示器）の点灯／表示内容をＣＰＵ１からの指令に従って制御し、各種設定操作に対する表示援助を行う。
【００２０】
通信Ｉ／Ｆ７ｒは、例えば、ＭＩＤＩインターフェイスで構成され、双方向の通信ケーブル、即ち、データ記録奘置ＲＤから電子機器ＥＭへのＭＩＤＩケーブルと電子機器ＥＭからデータ記録装置ＲＤへのＭＩＤＩケーブルとから成り２本一組で双方向に接続されたＭＩＤＩケーブル（双方向ＭＩＤＩケーブルともいう）ＣＢを介して、任意の機種の電子機器ＥＭが接続される。例えば、図１に実線で示すように、ＭＩＤＩケーブルＣＢで或る機種の電子機器（「電子機器Ａ」）ＥＭａと双方向に接続されＭＩＤＩ形式で音楽データを授受することができる。また、破線で示すように、ＭＩＤＩケーブルＣＢで別機種の電子機器（「電子機器Ｂ」）ＥＭｂとも同様に音楽データを授受することができる。つまり、データ記録装置ＲＤに繋がる電子機器ＥＭは、電子機器Ａや電子機器Ｂなどと適宜繋ぎ変えることができる。
【００２１】
外部記憶スロット８ｒは、記憶媒体８Ｍと共に、データを記録しておくための外部記憶装置として機能し、電子楽器で利用される演奏データ（演奏イベントのようなストリームデータ）などの音楽データをファイルとして記憶媒体８Ｍに記録するのに用いられる。記憶媒体８Ｍは、パソコンなどで利用することができる着脱可能な可搬性記憶媒体が好ましく、例えば、ＵＳＢメモリで構成される。
【００２２】
データ記録装置ＲＤに接続される電子機器ＥＭには、上述のように、例えば、或る機種の電子機器（「電子機器Ａ」）ＥＭａや別機種の電子機器（「電子機器Ｂ」）ＥＭｂなどの複数機種の電子機器ＥＭａ，ＥＭｂ，…がある。以下に説明する実施例においては、括弧書きで示すように、電子機器ＥＭとして具体的には電子楽器が用いられ、種々の機種の電子楽器ＥＭａ（「電子楽器Ａ」），電子楽器ＥＭｂ（「電子楽器Ｂ」），…がデータ記録装置ＲＤに接続されるものとする。一般に、電子楽器ＥＭは、以下に説明するように、電子楽器ＥＭａを表わす図１上部のブロック内に示されるハードウエア構成を有し、図１中央部の電子楽器ＥＭｂも、電子楽器ＥＭａと同様のハードウエア構成を有する。
【００２３】
電子楽器ＥＭは、ＣＰＵ１ｅ、タイマ２ｅ、ＲＡＭ３ｅ、ＲＯＭ４ｅ、演奏操作検出部５ｅ、設定操作検出部６ｅ、表示部７ｅ、音源及び効果付与部８ｅ、通信Ｉ／Ｆ９ｅ等の要素を備え、これら要素１ｅ〜９ｅはバス１０ｅを介して互いに接続される。
【００２４】
電子機器ＥＭ全体を制御するＣＰＵ１ｅは、ＲＡＭ３ｅ及びＲＯＭ４ｅと共に、楽音生成を含む音楽情報処理に関する各種音楽情報制御プログラムに従って各種音楽情報処理を実行するデータ処理部を構成し、各種音楽情報制御プログラムに従い、タイマ２ｅによるクロックを利用して種々の音楽情報処理を実行する。ＲＡＭ３ｅは、これらの処理に際して必要な各種データを記憶しておいたり一時的に保持するのに用いられ、ＲＯＭ４ｅには、各種音楽情報制御プログラムや必要な各種音楽情報制御データが記憶されている。
【００２５】
演奏操作検出部５ｅは、鍵盤などの演奏操作子と、演奏操作子の操作を検出し検出内容に対応する演奏操作情報をデータ処理部（１〜３）に導入する演奏操作検出回路とにより構成され、設定操作検出部６ｅは、スイッチ等の設定操作子（パネル操作子）と、設定操作子の操作を検出して対応する操作情報をデータ処理部（１〜３）に導入する設定操作検出回路とにより構成される。データ処理部（１〜３）は、演奏操作検出部５ｅ及び設定操作検出部６ｅからの操作情報に基づき電子楽器各部を制御し、例えば、演奏操作検出部５ｅからの演奏操作入力に対応する演奏データを音源及び効果付与部８ｅに送ったり、設定操作検出部６ｅ中のモード設定ボタンの操作により記録モードや再生モードで動作させることができる。また、表示部７ｅは、各種表示要素やＬＣＤ等のディスプレイ（表示器）の点灯／表示内容をＣＰＵ１ｅからの指令に従って制御し、各種操作に対する表示援助を行う。
【００２６】
音源及び効果付与部８ｅは音源部及び効果付与部から成り、音源部は、ＣＰＵ１ｅからの指令に従って、演奏操作検出部５ｅからの演奏データ或いは外部から通信Ｉ／Ｆ９ｅを介して入力される音楽データ等に基づき、楽音波形を表わすオーディオ形式の楽音信号を生成し、効果付与部は、音源部で生成された楽音信号に所定の効果を付与し、音源及び効果付与部８ｅに接続されたサウンドシステム１１ｅに出力する。サウンドシステム１１ｅは、Ｄ／Ａ変換部やアンプ、スピーカを備え、音源及び効果付与部８ｅから出力される楽音信号に基づく楽音を発生する。
【００２７】
通信Ｉ／Ｆ９ｅは、例えば、ＭＩＤＩインターフェイスで構成され、双方向ＭＩＤＩケーブルＣＢを介して外部のＭＩＤＩ機器ＭＤが接続され、例えば、データ記録装置ＲＤに接続してデータ記録装置との間でＭＩＤＩ形式で音楽データを授受することができる。
【００２８】
〔記録媒体内のデータ構造〕
この発明の一実施例によるデータ記録システムでは、電子機器ＥＭで利用される演奏データや設定データなどの音楽データを、ソング（楽曲）単位でフォルダにまとめて外部のデータ記録装置ＲＤに記録し、データ記録装置ＲＤにおいて、これらのデータに対してフォルダ名を新規に付ける際には、機種文字列テーブルＴＢに従い、接続した電子楽器ＥＭに応じて名前が変えられる。つまり、データ記録装置ＲＤは、接続した電子楽器ＥＭから機器ＩＤを取得し、取得した機器ＩＤに応じた名のフォルダを記憶媒体８Ｍ内に生成し、記録すべきファイルをこのフォルダ内に書き込む。図２は、この発明の一実施例によるデータ記録装置における機種文字列テーブル及び記録媒体内のデータ構造の例を示す。
【００２９】
データ記録装置ＲＤの外部記憶スロット８ｒに装着される記憶媒体８Ｍには、例えば、（２）の左側に複数のフォルダＦＬ：ＦＬ１，ＦＬ２，…（なお、記号“ＦＬ”は、任意のフォルダを一般的に示す）で示されるように、音楽データがフォルダ毎にまとめられて記録され、その際、（１）の機種文字列テーブルＴＢに従って、接続した電子楽器ＥＭの機種ごとに定められた「種類を表わす文字列」を含む名称がフォルダ名とされる。
【００３０】
つまり、データ記録装置ＲＤは、モデルＩＤ（機種ＩＤともいう）から「種類を表わす文字列」を得る機種文字列テーブルＴＢをＲＯＭ４ｒに内蔵しており、電子楽器ＥＭを接続して音楽データを記憶媒体８Ｍに記録する際は、接続された電子楽器ＥＭのモデルＩＤを取得し、機種文字列テーブルＴＢを参照して、取得したモデルＩＤから種類を表わす文字列を得る。例えば、接続された電子楽器ＥＭのモデルＩＤが、「ＡＡＡ−１００」、「ＡＡ−２００」或いは「ＡＡＢ−１０００」であれば、機種文字列テーブルＴＢから、「種類を表わす文字列」として「ＡＡ＿」が得られる。また、接続された電子楽器ＥＭのモデルＩＤが「ＣＬ−１０００」であれば、「種類を表わす文字列」として「ＣＬ＿」が得られ、接続された電子楽器ＥＭのモデルＩＤが「ＳＹ−２０００」であれば、「種類を表わす文字列」として「ＳＹ＿」が得られる。そして、得られた「種類を表わす文字列」をフォルダ名の先頭文字列（前半文字列）とし、所定のソング名をこれに後続させる。
【００３１】
なお、機種文字列テーブルを用いず、モデルＩＤの先頭２文字を用いて「種類を表わす文字列」を表わすことにする等の前半文字列決定ルールをＲＯＭ４ｒに用意しておき、このルールに基づいてモデルＩＤから「種類を表わす文字列」を求めるようにしてもよい。
【００３２】
図２に従って、記憶媒体８Ｍに記録される具体的なデータ構造を説明すると、例えば、データ記録装置ＲＤは、最初に機種「ＡＡＡ−１００」の電子楽器ＥＭを接続して或る楽曲（ソング）に関する音楽データを記憶媒体８Ｍに記録する際は、先ず、当該電子楽器ＥＭからモデルＩＤ＝「ＡＡＡ−１００」を取得すると、機種文字列テーブルＴＢを参照して「種類を表わす文字列」＝「ＡＡ＿」を得る。次いで、この文字列に所定の楽曲名（ソング名）＝「ＳＯＮＧ＿００１」を付加してフォルダ名＝「ＡＡ＿ＳＯＮＧ＿００１」のフォルダＦＬ１を生成する。そして、電子楽器ＥＭから記録すべき所望の音楽データをフォルダＦＬ１内に書き込む。このフォルダＦＬ１の例では、図２の右側に展開されているように、「ＭＤＲ．Ｂ００」のファイル名を有するレジストレーションデータ（「レジストデータ」ともいう）ファイルＲＦと「ＭＤＲ．ＭＩＤ」のファイル名を有する演奏データファイルＰＦとから成る音楽データが記録される。
【００３３】
ここで、レジストデータファイルＲＦは、電子楽器ＥＭにおいて演奏データファイルＰＦに基づき楽音信号を生成する際に音源及び効果付与部８ｅに設定される音色や音量、エフェクトなどの種々の楽音生成パラメータに関する設定データをファイル化したものである。また、演奏データファイルＰＦは、楽曲のタイトルや作曲者、トラック構成などの演奏データ全体の案内情報で構成されるヘッダチャンクＨＣと、トラックチャンクＴＣから成り、トラックチャンＴＣには、電子楽器ＥＭにて現在パネル設定されているレジストレーションデータであるパネルレジストレーションデータＰＲが先頭に記述され、これに続いて、電子楽器ＥＭでの演奏操作（５ｅ）に基づく演奏操作イベント（演奏イベント、イベントともいう）ＩＶ及びデルタタイムＤＴが時系列的に順次記述される。
【００３４】
続いて、同一機種「ＡＡＡ−１００」の電子楽器ＥＭを接続したまま別楽曲の音楽データを記憶媒体８Ｍに記録するときは、機種文字列テーブルＴＢに従って、既に当該電子楽器ＥＭから取得したモデルＩＤ＝「ＡＡ」から「種類を表わす文字列」＝「ＡＡ＿」を得ると、この文字列に、記録済の楽曲名とは異なる所定の楽曲名＝「ＳＯＮＧ＿００２」を付加してフォルダ名＝「ＡＡ＿ＳＯＮＧ＿００２」をもつフォルダＦＬ２を生成し、電子楽器ＥＭから記録すべき所望の音楽データをフォルダＦＬ２内に書き込む。
【００３５】
その後、別の機種「ＣＬ−１０００」の電子楽器ＥＭを接続して所定楽曲の音楽データを記憶媒体８Ｍに記録する際には、先ず、当該電子楽器ＥＭからモデルＩＤ＝「ＣＬ」を取得し、機種文字列テーブルＴＢを参照して「種類を表わす文字列」＝「ＣＬ＿」を得る。次いで、これに記録済の楽曲名とは異なる所定の楽曲名（ソング名）＝「ＳＯＮＧ＿００３」を付加してフォルダ名＝「ＣＬ＿ＳＯＮＧ＿００３」のフォルダＦＬ３を生成する。そして、電子楽器ＥＭから記録すべき所望の音楽データをフォルダＦＬ３内に書き込む。さらに、これと同一の機種「ＣＬ−１０００」の電子楽器ＥＭを接続して別の音楽データを記憶媒体８Ｍに記録するときには、当該電子楽器ＥＭから取得したモデルＩＤ＝「ＣＬ−１０００」から機種文字列テーブルＴＢに従って得た「種類を表わす文字列」＝「ＣＬ＿」に、記録済の楽曲名とは異なる所定の楽曲名＝「ＳＯＮＧ＿００４」を付加してフォルダ名＝「ＣＬ＿ＳＯＮＧ＿００４」をもつフォルダＦＬ４を生成し、電子楽器ＥＭから記録すべき所望の音楽データをフォルダＦＬ４内に書き込む。そして、以下同様にして、任意の機種の電子楽器ＥＭを接続し、当該電子楽器ＥＭから取得したモデルＩＤを含むフォルダ名のフォルダＦＬを生成し、当該電子楽器ＥＭからの所望の音楽データを当該フォルダＦＬ内に書き込んでゆくことができる。
【００３６】
つまり、電子楽器ＥＭから記憶媒体８Ｍに音楽データを記録するときには、一つのソング（楽曲）に一つのフォルダＦＬが割り当てられ、典型的には、フォルダＦＬ内に一つの演奏データファイルＰＦと一つのレジストデータファイルＲＦとが含まれる。しかしながら、フォルダＦＬ内には、一つの演奏データファイルＰＦのみ、或いは、一つのレジストデータファイルＲＦのみを含ませるようにしてもよい。
【００３７】
以上のように、この発明の一実施例によるデータ記録システムでは、ＵＳＢメモリなどの記憶媒体８Ｍが装着されるデータ記録装置ＲＤに複数種類の電子楽器（電子機器）ＥＭ：ＥＭａ，ＥＭｂ，…が通信可能に接続され（ＣＢ，７ｒ）、データ記録装置ＲＤは、接続された電子楽器ＥＭから、機種を表わす識別情報としてモデルＩＤ（例えば、“ＡＡＡ＿１００”）を取得し、取得したモデルＩＤに応じたフォルダ名（例えば、“ＡＡ＿ｘｘｘ”：“ｘｘｘ”は、ユーザ指定のソング名）を生成し、生成したフォルダ名が付与されたフォルダＦＬ：ＦＬ１，ＦＬ２，…を記憶媒体８Ｍに生成する。そして、接続した電子機器ＥＭからレジストレーションデータＲＦ乃至演奏操作イベントＰＦなどの一連の音楽データを取得し、先に生成したフォルダＦＬ内にファイルとして書き込む。
【００３８】
〔動作例〕
図３〜図６は、この発明の一実施例によるデータ記録システムにおける各種処理動作の例を示し、図３は、データ記録装置ＲＤにおけるモデルＩＤ取得処理のフローチャート例である。このデータ記録システムでは、データ記録装置ＲＤを起動すると、モデルＩＤ取得処理がスタートし、ＣＰＵ１ｒは、まず、ステップＲＡ１で、モデルＩＤを保持するためのＲＡＭ３ｒ上のモデルＩＤ保持領域をクリアし、次のステップＲＡ２で、ＲＡＭ３ｒ上の受信状態情報保持領域に保持され、モデルＩＤを受信しているか否かを表わす受信状態情報の内容を「モデルＩＤを受信していない」に初期化して、ステップＲＡ３に進む。
【００３９】
ステップＲＡ３では、受信状態情報の内容が「モデルＩＤを受信している」であり、しかも、外部の電子楽器ＥＭから通信Ｉ／Ｆを介して最後にアクティブセンシングメッセージを受け取ってから３００ｍｓ以上経過したか否かを判定し、受信状態が「モデルＩＤを受信している」であり且つ最後のアクティブセンシングメッセージの受取り後３００ｍｓ以上経過しているときは（ＲＡ３＝ＹＥＳ）、ステップＲＡ１に戻り、ステップＲＡ１，ＲＡ２におけるモデルＩＤ保持領域のクリア及び受信状態情報の初期化を繰り返す。一方、受信状態が「モデルＩＤを受信している」でも、最後のアクティブセンシングメッセージの受取り後３００ｍｓ以上経過したものでもないときは（ＲＡ３＝ＮＯ）、ステップＲＡ４に進む。
【００４０】
ステップＲＡ４では、受信状態情報の内容が「モデルＩＤを受信していない」であり、しかも、新たに或いは再びアクティブセンシングメッセージを受け取ったか否かを判定し、受信状態が「モデルＩＤを受信していない」でも、新たに或いは再びアクティブセンシングメッセージを受け取ったものでもないときは（ＲＡ４＝ＮＯ）、直ちにステップＲＡ３に戻る。また、受信状態が「モデルＩＤを受信していない」であり且つ新たに或いは再びアクティブセンシングメッセージを受け取ったときは（ＲＡ４＝ＹＥＳ）、順次、ステップＲＡ５〜ＲＡ７の処理を実行する。
【００４１】
ステップＲＡ５では、このデータ記録装置ＲＤに新たに或いは再び接続された外部の電子機器ＥＭにモデルＩＤを要求し、電子楽器ＥＭからモデルＩＤが返信されると、ステップＲＡ６で、電子機器ＥＭからのモデルＩＤを受信しＲＡＭ３ｒ上のモデルＩＤ保持領域に保持する。ここで、モデルＩＤの要求とその返答は、ＭＩＤＩシステムエクスクルーシブメッセージ形式で行われる。そして、ステップＲＡ７にて、受信状態情報の内容を「モデルＩＤを受信している」に変更した上で、ステップＲＡ３に戻る。
【００４２】
ＭＩＤＩ機器の一種である電子楽器ＥＭがケーブルＣＢを介してデータ記録装置ＲＤに接続されると、電子楽器ＥＭは、ＭＩＤＩ規格に則り、３００ｍｓ未満の間隔でアクティブセンシングメッセージを、通信Ｉ／Ｆ（ＭＩＤＩＩ／Ｆ）９ｅからデータ記録装置ＲＤの通信Ｉ／Ｆ（ＭＩＤＩＩ／Ｆ）７ｒに出力する。従って、データ記録装置は、ＭＩＤＩＩ／Ｆ９ｅ，７ｒ経由でアクティブセンシングメッセージを受け取ることにより、電子楽器ＥＭが接続されていることを知ることができ、逆に、アクティブセンシングメッセージが３００ｍｓ以上受け取ることができないことにより、電子楽器ＥＭが接続されていないことを知ることができる。
【００４３】
例えば、データ記録装置ＲＤは、電子楽器ＥＭが接続されると、ステップＲＡ３からステップＲＡ４を経て（ＲＡ３＝ＮＯ→ＲＡ４＝ＹＥＳ）ステップＲＡ５〜ＲＡ６に進み、電子楽器ＥＭのモデルＩＤを取得し、モデルＩＤを取得すると、受信状態情報を「モデルＩＤを受信している」切り替えた上で、ステップＲＡ３に戻るので、最後にアクティブセンシングメッセージを受け取ってから３００ｍｓ未満の間は（ＲＡ３＝ＮＯ）ステップＲＡ４（ＲＡ４＝ＮＯ）からステップＲＡ３に戻り、３００ｍｓ以上経過すると（ＲＡ３＝ＹＥＳ）ステップＲＡ１〜ＲＡ２に戻る。このようにして、データ記録装置ＲＤは、新規に電子楽器ＥＭが接続されたこと、或いは、一旦切り離された電子楽器ＥＭが再び接続されたことを知ると、電子楽器ＥＭにモデルＩＤを要求して取得することにより、そのＭＩＤＩ機器がどんなモデルであるかを知ることができる。
【００４４】
図４及び図５は、この発明の一実施例によるデータ記録システムにおける記録処理のフローチャート例である。このデータ記録システムでは、データ記録装置ＲＤと電子楽器ＥＭとを接続し、データ記録装置ＲＤ及び電子楽器ＥＭを記録モードに設定すると、記録処理が行われ、データ記録装置ＲＤは、電子楽器ＥＭが送信する音楽データを受信しＵＳＢメモリなどの記録媒体８Ｍに記録する。この記録処理におけるユーザの操作手順は、次の通りである：
（１）ユーザは、データ記録装置ＲＤと電子楽器ＥＭとをＭＩＤＩケーブルＣＢで双方向に接続する。
（２）ユーザは、データ記憶装置ＲＤのパネル操作（５ｒ）により音楽データの記録開始を指示する。
（３）ユーザは、記録単位であるソングの番号をデータ記録装置ＲＤに入力する。
〔これにより、音楽データの記録が始まり、まず、電子楽器ＥＭ内のレジストレーションデータ群（ＲＦ）が記録媒体８Ｍに記録される。〕
（４）ユーザは、電子楽器ＥＭの演奏操作（５ｅ）を行う。
〔電子楽器は、演奏操作（５ｅ）に応じて楽音生成（８ｅ→１１ｅ）を行うと共に、演奏データ（ＰＦ）をデータ記録装置ＲＤに送り、データ記録装置ＲＤはそれを記録する。〕
（５）ユーザは、演奏し終えたら、演奏をやめる。
（６）ユーザは、データ記録装置ＲＤのパネル操作（５ｒ）により記録終了を指示する。
【００４５】
図４において、データ記録装置側及び電子楽器側記録処理がスタートすると、データ記録装置ＲＤのＣＰＵ１ｒは、まず、ステップＲＢ１で、ＲＡＭ３ｒ上の受信状態情報の内容が「モデルＩＤを受信している」であるか否かを判定し、受信状態が「モデルＩＤを受信している」でなければ（ＲＢ１＝ＮＯ）、直ちに、この記録処理を終了する。一方、受信状態が「モデルＩＤを受信している」であるときには（ＲＢ１＝ＹＥＳ）、先ず、ステップＲＢ２で、表示部６ｒの表示器にソング番号（ソング名）入力画面を表示するなどにより、ユーザにソング番号（ソング名）の入力を促す。ユーザ操作によりソング番号が入力されると、次のステップＲＢ３にて、機種文字列テーブルＴＢ〔図２（１）〕或いは前述した前半文字列決定ルールに従い、ＲＡＭ３ｒ上に保持していたモデルＩＤに応じてフォルダ名の前半部分を決定し、フォルダ名の後半部分については、入力されたソング番号とすることにより、新たに生成されるフォルダＦＬのフォルダ名を決定する。
【００４６】
次のステップＲＢ４では、ステップＲＢ３で決定したフォルダ名のフォルダが記憶媒体８Ｍ内に存在しているか否かを判定し、当該フォルダが存在していないときは（ＲＢ４＝ＮＯ）、ステップＲＢ５で、記憶媒体８Ｍ内にフォルダを生成した後、ステップＲＢ６に進み、当該フォルダが存在しているときには（ＲＢ４＝ＹＥＳ）、直ちにステップＲＢ６に進む。ステップＲＢ６では、電子楽器ＥＭに対して、バルクデータ、即ち、電子楽器ＥＭのＲＡＭ３ｅに記憶されているレジストレーションデータ群などの設定データを要求し、これに対して、電子楽器ＥＭのＣＰＵ１ｅは、ステップＥＢ１で、データ記録装置ＲＤの要求に応じてバルクデータを出力する。
【００４７】
データ記録装置ＲＤでは、ステップＲＢ７にて、電子楽器ＥＭからバルクデータを受信し、レジストレーションデータファイルＲＦとしてフォルダＦＬ内に書き出す。ここで、同じ（同名の）ファイルがあれば上書きする。次のステップＲＢ８で、電子楽器ＥＭに演奏開始を通知し、更に次のステップＲＢ９（図５）で、電子楽器ＥＭにパネルレジストレーションデータを要求する。
【００４８】
電子楽器ＥＭでは、ステップＥＢ２（図５）で、データ記録装置ＲＤからの演奏開始の通知に応じて、それまでの自動伴奏や発音中の処理を初期状態にリセットする。次のステップＥＢ３で、さらに、パネルレジストレーションデータの要求に応じて、パネル設定の現在の状態を表わすパネルレジストレーションデータ（ＰＲ）をＲＡＭ３ｅのワークエリアから取得して出力すると共に、自身の内部クロックで動作するよう設定する。続くステップＥＢ４では、内部クロックに基づいて同期情報をデータ記録装置ＲＤに送ると共に、演奏操作（５ｅ）に応じて演奏操作イベント（ＩＶ）を順次データ記録装置ＲＤに送り、また、音源及び効果付与部８ｅにより演奏操作に応じて楽音信号の生成も行われる。つまり、電子楽器ＥＭは、内部クロックで動作する際、自身のタイマ２ｅで計時して、所定のテンポに応じた自動伴奏の進行を制御する。そのとき、テンポに応じた同期情報（ＭＩＤＩのタイミングクロック）を送る。
【００４９】
データ記録装置ＲＤでは、ステップＲＢ１０で、電子楽器ＥＭからパネルレジストレーションデータＰＲを受信し、演奏データファイルＰＦとしてフォルダ内に書き出す。ここで、同じ（同名の）ファイルがあれば上書きする。また、次のステップＲＢ１１では、電子楽器ＥＭから演奏操作（５ｅ）に応じた演奏操作イベントＩＶを受信し、電子楽器ＥＭからの同期情報に従ってデルタタイムＤＴを生成し、演奏データファイルに追記する。このとき、データ記録装置ＲＤは、電子楽器ＥＭから次々と送られてくるＭＩＤＩのタイミングクロックからテンポを知って記憶すると共に、連読する２つの演奏操作イベントＩＶ間の時間間隔をタイミングクロックに基づいて計測し、計測した時間間隔をデルククイムＤＴとする。続くステップＲＢ１２では、記録終了の操作（５ｒ）がなされたか否かを判定し、記録終了操作がなされないときは（ＲＢ１２＝ＮＯ）、ステップＲＢ１１に戻り、電子楽器ＥＭでの演奏操作（５ｅ）に応じて演奏操作イベントＩＶ及びデルタタイムＤＴを順次演奏データファイルに追記していく。そして、記録終了操作がなされると（ＲＢ１２＝ＹＥＳ）、ステップＲＢ１３に進み、電子楽器ＥＭにデータ記録装置側記録処理の終了を通知して、同記録処理を終了する。
【００５０】
電子楽器ＥＭでは、ステップＥＢ５で、データ記録装置ＲＤから記録処理終了の通知を受け、このとき、発音や自動演奏があれば初期状態にリセットし、電子楽器側記録処理を終了する。
【００５１】
なお、図４及び図５の記録処理フローでは、フォルダ生成（ＲＢ５）の後、レジストレーションデータＲＦの記録（ＲＢ７）及び演奏データＰＦの記録（ＲＢ１０〜ＲＢ１１）を続けて実行している。しかし、フォルダを生成した後レジストレーションデータＲＦの記録のみを行なって処理を終了したり、フォルダを生成した後演奏データＰＦの記録のみ行なって処理を終了してもよい。
【００５２】
図６は、この発明の一実施例によるデータ記録システムにおける再生処理のフローチャート例である。このデータ記録システムでは、データ記録装置ＲＤと電子楽器ＥＭとを接続し、データ記録装置ＲＤ及び電子楽器ＥＭを再生モードに設定すると、再生処理が行われ、データ記録装置ＲＤが送信する音楽データを電子楽器ＥＭが受信し楽音生成に利用する。この再生処理におけるユーザの操作手順は、次の通りである：
（１）ユーザは、データ記録装置ＲＤと電子楽器とをＭＩＤＩケーブルＣＢで双方向に接続する。
（２）ユーザは、データ記憶装置ＲＤのパネル操作（５ｒ）により再生開始を指示する。
（３）ユーザは、表示部６ｒの表示器でフォルダ名を確認しながら再生対象を入力する。
〔データの再生が始まる。まず、データ記録装置ＲＤの記憶媒体８Ｍからレジストレーションデータ群（ＲＦ）が電子楽器ＥＭに送信される。続いて、演奏データ（ＰＦ）が送られ、電子楽器ＥＭは、楽音を生成する（８ｅ→１１ｅ）。〕
（４）ユーザは、必要に応じて再生中断の操作をする。〔再生中断の操作があるか、曲の再生位置が終端に至ったら、再生処理は終了する。〕
【００５３】
図６において、データ記録装置側及び電子楽器側再生処理がスタートすると、データ記録装置ＲＤのＣＰＵ１ｒは、まず、ステップＲＣ１で、ＲＡＭ３ｒ上の受信状態情報の内容が「モデルＩＤを受信している」であるか否かを判定し、受信状態が「モデルＩＤを受信している」でなければ（ＲＢ１＝ＮＯ）、直ちに、この記録処理を終了する。一方、受信状態が「モデルＩＤを受信している」であるときには（ＲＣ１＝ＹＥＳ）、先ず、ステップＲＣ２で、ユーザ操作に応じて表示部６ｒの表示器にフォルダ名を順次表示し、ユーザは、このフォルダ名を視認する。次いで、ステップＲＣ３で、ユーザにより再生対象決定の操作がなされたか否かを判定し、決定の操作がなされない間は（ＲＣ３＝ＮＯ）ステップＲＣ２に戻り、ユーザの決定操作を待つ。
【００５４】
ユーザにより決定操作がなされると（ＲＣ３＝ＹＥＳ）、ステップＲＣ４に進み、決定操作がなされたフォルダＦＬを再生対象に決定し、次のステップＲＣ５で、再生対象に決定したフォルダＦＬ内のレジストレーションデータファイルＲＦにあるバルクデータ、つまり、当該フォルダＦＬ内に記憶されているレジストレーションデータ群などの設定データを電子楽器ＥＭに送信する。これに対して、電子楽器ＥＭは、ステップＥＣ１で、データ記録装置ＲＤからバルクデータを受信し、ＣＰＵ１ｅは、受信したバルクデータをＲＡＭ３ｅ上に記憶し、ユーザのパネル操作で呼び出せるように設定する。
【００５５】
次いで、データ記録装置ＲＤは、ステップＲＣ６で、電子楽器ＥＭに再生開始を通知し、ステップＲＣ７で、演奏データファイルＰＦ内のパネルレジストレーションデータＰＲを電子楽器ＥＭに送信する。これに対して、電子楽器ＥＭは、ステップＥＣ２で、再生開始の通知を受けて、それまでの発音や自動演奏があれば初期状態にリセットし、外部クロックで動作するよう設定し、次のステップＥＣ３では、パネルレジストレーションデータＰＲを受信し、ＲＡＭ３ｅのワークエリアにパネル設定として保持すると共に、パネル設定の内容を音源及び効果付与部８ｅや表示部７ｅの各種表示要素やＬＣＤなどのディスプレイ（表示器）に反映させる。
【００５６】
さらに、データ記録装置ＲＤは、ステップＲＣ８で、タイマ２ｒの計時に応じて、演奏データファイルで指定されたテンポに応じた同期情報（ＭＩＤＩのタイミングクロック）を電子楽器ＥＭに送信すると共に、演奏データファイルＰＦ内の複数の演奏イベントＩＶを先頭から読み出してデルタタイムＤＴの間を置きながら電子楽器ＥＭに送信する。続くステップＲＣ９では、演奏データファイルＰＦの終端に至ったか否か、或いは、再生終了の操作（５ｒ）がなされたか否かを判定し、再生位置が演奏データファイルＰＦの終端に至っていないときや記録終了操作がなされないときは（ＲＣ９＝ＮＯ）、ステップＲＣ８に戻って、同期情報及び演奏イベントＩＶを順次電子楽器ＥＭに送信する。これに対して、電子楽器ＥＭは、ステップＥＣ４で、送信されてきた同期情報に応じて自動演奏を行うと共に、送信されてきた演奏イベントＩＶに応じて楽音生成（８ｅ→１１ｅ）を行う。つまり、電子楽器ＥＭは、外部クロックで動作する際、データ記録装置ＲＤから送られてくる同期情報の間隔を計時して、テンポを知り自動伴奏の進行を制御する。
【００５７】
そして、データ記録装置ＲＤにて、データ読出しが演奏データファイルＰＦの終端に至ったか、或いは、再生終了操作がなされると（ＲＣ９＝ＹＥＳ）、ステップＲＣ１０に進み、電子楽器ＥＭにデータ記録装置側再生処理の終了を通知して、同再生処理を終了する。これに対して、電子楽器ＥＭでは、ステップＥＣ５で、データ記録装置ＲＤから再生処理終了の通知を受け、このとき、発音や自動演奏があれば初期状態にリセットし、内部クロックで動作するように設定を復旧する。そして、電子楽器側記録処理を終了する。
【００５８】
なお、図６の再生処理フローでは、レジストレーションデータＲＦの再生（ＲＣ５，ＥＣ１）と演奏データＰＦの再生（ＲＣ７〜ＲＣ８，ＥＣ３〜ＥＣ４）とを続けて実行している。しかし、レジストレーションデータＲＦの再生（ＲＣ５，ＥＣ１）のみを行なって再生処理を終了した後、ユーザがそのレジストレーションデータＲＦを用いて演奏をしたり、事前に当該レジストレーションデータＲＦを電子楽器ＥＭに記憶させておいて直前にはレジストレーションデータを再生することなしに演奏データＲＦの再生（ＲＣ７〜ＲＣ８，ＥＣ３〜ＥＣ４）のみ行なってもよい。
【００５９】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、実施例では、電子機器の例として電子楽器などの電子音楽機器について説明したが、電子機器には、電子楽器などの電子音楽機器だけでなく、ＷＥＢカメラなどの電子映像機器が含まれる。例えば、ＷＥＢカメラは、ＵＳＢでパーソナルコンピュータ（パソコン）等に接続する撮像装置であって、刻々と画像を出力する。そして、ＷＥＢカメラ自体はデータ保存用の記憶媒体を持たず、パソコン側で刻々と送られてくる画像を集めてファイルを生成する。ここで、ＷＥＢカメラの種類によって画像の解像度や色合いに差があるので、この発明の電子機器としてＷＥＢカメラを適用すれば、出来上がったファイルを再生することなくフォルダ名で違いが確認できるようになるという技術的効果を奏する。
【符号の説明】
【００６０】
ＲＤ  データ記録装置、
ＥＭ：ＥＭａ，ＥＭｂ  電子機器（電子楽器）、
ＣＢ  通信ケーブル（ＭＩＤＩケーブル）、
８Ｍ  記憶媒体（ＵＳＢメモリ）、
ＴＢ  機種文字列テーブル、
ＦＬ：ＦＬ１，ＦＬ２，…  フォルダ、
ＲＦ  レジストレーションファイル（レジストレーションデータファイル）、
ＰＦ  演奏データファイル（演奏イベントデータファイル）。
【図１】
0005857424.tif 000002
【図２】
0005857424.tif 000003
【図３】
0005857424.tif 000004
【図４】
0005857424.tif 000005
【図５】
0005857424.tif 000006
【図６】
0005857424.tif 000007